(57)【要約】【課題】  本発明は、画像信号に応じた画像を表示する画像表示装置、および被写体を捉えて画像信号を生成する撮影装置に関し、外側から加えられる圧力に対する耐圧性能を確保した上で、単に介在させるための部品を不要とする。【解決手段】  画像信号に基づいて駆動され背後から照明を受けることにより画像を表示するＬＣＤ１７と、ＬＣＤ１７の背面側に配備され、厚みが連続的に変化するように裏面が斜めに形成され内部を伝播してきた光をＬＣＤ１７に向かわせてＬＣＤ１７を背後から照明する導光板１８と、導光板１８を裏面側から押える押さえ部材１９とを備え、押さえ部材１９に板金の半抜き加工による楔形状の押さえ部１９ａを形成し、その押さえ部１９ａで斜面からなる導光板１８の裏面を支持する。【選択図】        図３
2006243387.tif 000002
【特許請求の範囲】
【請求項１】
画像信号に応じた画像を表示する画像表示装置において、
画像信号に基づいて駆動され背後から照明を受けることにより画像を表示する画像表示板と、
前記画像表示板背面側に配備され、厚みが連続的に変化するように裏面が斜めに形成され内部を伝播してきた光を前記画像表示板に向かわせて該画像表示板を背後から照明する導光板と、
前記導光板を裏面側から押える押さえ部材とを備え、
前記押さえ部材が、前記導光板の、斜めに形成された裏面に沿う形状の楔形の押さえ部を有することを特徴とする画像表示装置。
【請求項２】
前記押さえ部材の前記押さえ部が、板金の半抜きにより形成されたものであることを特徴とする請求項１記載の画像表示装置。
【請求項３】
前記画像表示板が、液晶を有し該液晶の配向の変化により画像を表示する液晶表示板であることを特徴とする請求項１又は２記載の画像表示装置。
【請求項４】
被写体を捉えて画像信号を生成する撮影装置において、
画像信号に応じた画像を表示する画像表示装置を備え、
該画像表示装置が、
画像信号に基づいて駆動され背後から照明を受けることにより画像を表示する画像表示板と、
前記画像表示板背面側に配備され、厚みが連続的に変化するように裏面が斜めに形成され内部を伝播してきた光を前記画像表示板に向かわせて該画像表示板を背後から照明する導光板と、
前記導光板を裏面側から押える押さえ部材とを備え、
前記押さえ部材が、前記導光板の、斜めに形成された裏面に沿う形状の楔形の押さえ部を有することを特徴とする撮影装置。
【発明の詳細な説明】
【技術分野】
【０００１】
本発明は、画像信号に応じた画像を表示する画像表示装置および被写体を捉えて画像信号を生成する撮影装置に関する。
【背景技術】
【０００２】
従来より例えばデジタルカメラの背面等にＬＣＤ（Ｌｉｑｕｉｄ  Ｃｒｙｓｔａｌ  Ｄｉｓｐｌａｙ）等の画像表示板が備えられている。
【０００３】
図５は、従来のデジタルカメラのＬＣＤまわりの構造を示す図である。
【０００４】
デジタルカメラの背面を構成するリアカバー１３１には、ＬＣＤ１３３を視認するためのＬＣＤ窓１３１ａが形成されており、そのＬＣＤ窓１３１ａはガラス板等の透明な保護カバー１３２で覆われている。
【０００５】
また、カメラ内側のＬＣＤ窓１３１ａが形成されている部分にはＬＣＤ１３３が配置され、そのＬＣＤ１３３の背面側には、そのＬＣＤ１３３を背後から照明するための光を導く導光板１３４が備えられている。この導光板１３４には、ＬＣＤ１３３を背後から一様に照明するために厚みが連続的に変化するように裏面が斜めに形成された、全体として楔形状を有している。このため、この導光板１３４の裏面側に楔形状のモールド部品１３５（あるいはクッション）が当てがわれ、さらにその裏面側から、板金加工で形成された押え部材１３６がリアカバー１３１にビス止めされて、ＬＣＤ１３３、導光板１３４およびモールド部品１３５がリアカバー１３１に向けて押えられている。
【０００６】
特許文献１にも、図５を参照して説明した構造と同様の、液晶表示パネルと、楔形状の導光板と、その導光板裏面の斜面を支える楔形のサイド支持部材を備え、それら液晶表示パネルと導光板とサイド支持部材がカバー部材とベース部材とに挟まれた構造が開示されている。
【特許文献１】特開２０００−９８３７７号公報
【発明の開示】
【発明が解決しようとする課題】
【０００７】
ところが、導光板１３４背面のモールド部品１３５は、導光板１３４の背面１３４が斜面になっておりその斜面と押え部材１３６との隙き間を埋めるためだけの目的で配置されており、その分、部品点数、組立工数の増加によるコストアップを招いている。
【０００８】
しかしながら、このモールド部品１３を単に取り去るとＬＣＤ１３３を外側から覆う保護カバー１３２に指等で圧力が加えられた場合にＬＣＤ１３３に変形が生じＬＣＤ１３３の故障の原因となる。これを防止するためには、例えば図５に示すように例えば楔形状のモールド部品１３５を挟み込むなどして全面を均一に押える構造が好ましい。
【０００９】
本発明は、上記事情に鑑み、外側から加えられる圧力に対する耐圧性能を確保した上で、図５に示すモールド部品１３５のような単に介在させるための部品を不要とした構造の画像表示装置、およびそのような画像形成装置を備えた撮影装置を提供することを目的とする。
【課題を解決するための手段】
【００１０】
上記目的を達成する本発明の画像表示装置は、画像信号に応じた画像を表示する画像表示装置において、
画像信号に基づいて駆動され背後から照明を受けることにより画像を表示する画像表示板と、
画像表示板背面側に配備され、厚みが連続的に変化するように裏面が斜めに形成され内部を伝播してきた光を画像表示板に向かわせてその画像表示板を背後から照明する導光板と、
導光板を裏面側から押える押さえ部材とを備え、
上記押さえ部材が、上記導光板の、斜めに形成された裏面に沿う形状の楔形の押さえ部を有することを特徴とする。
【００１１】
本発明の画像表示装置は、上記押え部材自体に、導光板の、斜めに形成された裏面に沿う形状の楔形の押さえ部を有するため、図５に示すモールド部品１３５のような別部品は不要であり、押さえ部材で導光板の斜めの背面全面を直接支持することができる。
【００１２】
ここで、本発明の画像表示装置において、上記押さえ部材の押さえ部が、板金の半抜きにより形成されたものであることが好ましい。
【００１３】
板金の曲げ加工により楔形状の押さえ部を形成するのは困難であり、板金の半抜きによれば、導光板裏面の斜面に沿った楔形状を容易に実現することができる。
【００１４】
また、本発明の画像表示装置において、上記画像表示板は、典型的には、液晶を有しその液晶の配向の変化により画像を表示する液晶表示板であることが好ましい。
【００１５】
また、本発明の撮像装置は、被写体を捉えて画像信号を生成する撮影装置であって、
画像信号に応じた画像を表示する画像表示装置を備え、
その画像表示装置が、
画像信号に応じた画像を表示する画像表示装置において、画像信号に基づいて駆動され背後から照明を受けることにより画像を表示する画像表示板と、
画像表示板背面側に配備され、厚みが連続的に変化するように裏面が斜めに形成され内部を伝播してきた光を画像表示板に向かわせてその画像表示板を背後から照明する導光板と、
その導光板を裏面側から押える押さえ部材とを備え、
その押さえ部材が、導光板の、斜めに形成された裏面に沿う形状の楔形の押さえ部を有することを特徴とする。
【発明の効果】
【００１６】
以上の本発明によれば、導光板背面の斜面全面が押さえ部材で直接に押えられ、外部から加えられる圧力に対する耐圧性能を確保しつつ介在部品が不要となり、部品点数、組立工数が削減される。
【発明を実施するための最良の形態】
【００１７】
以下、本発明の実施の形態について説明する。
【００１８】
図１、図２は、本発明の一実施形態としてのデジタルカメラの、それぞれ前面および背面を斜め上から見て示した斜視図である。
【００１９】
デジタルカメラ１０の前面には、カメラ本体から突出した繰出状態にあるレンズ鏡胴１００が示されている。このレンズ鏡胴１００は図１に示す繰出状態とその繰出状態の筒長よりも筒長を収縮させてカメラ本体内に収容された沈胴状態とを有する。
【００２０】
また、このレンズ鏡胴１００の内部には、焦点距離可変なズームレンズからなる撮影レンズ２００が備えられている。さらに、このデジタルカメラ１０の前面には、撮影時にフラッシュ光を発するフラッシュ発光部１１が備えられ、このデジタルカメラ１０の上面には、このデジタルカメラ１０に撮影指示を与えるシャッタボタン１２が配備されている。
【００２１】
また、このデジタルカメラ１０の図２に示す背面には、Ｔ／Ｗ（テレ／ワイド）切替レバー２１、撮影／再生切替ボタン２２、ファンクションボタン２３、４方向キー２４、ＯＫキー２５、およびＤＩＳＰ／ＢＡＣＫキー２６からなる各種操作キー、および画面表示用のＬＣＤ２７が配置されている。
【００２２】
このデジタルカメラ１０の外面は、大別してフロントカバー１３（図１参照）とリアカバー（図２参照）とで構成されており、リアカバー１４には、上記の各種操作キーやＬＣＤ２７に対応する部分に各開口が形成されており、各種操作キーは各開口から多少突出するようにしてカメラ内部に配置されている。またＬＣＤパネル２７は、表面は透明なガラス板等の保護カバーで開口が覆われており、ＬＣＤパネル２７自体はカメラ内部に配置されている。ＬＣＤパネル２７の部分の構造については後述する。
【００２３】
上述した各種操作キーのうち、Ｔ／Ｗ切替レバー２１は、撮影レンズの焦点距離切替用のレバーであり、また、撮影／再生切替ボタン２２は、１回押すごとにこのデジタルカメラ１０のモードを撮影モードと再生モードとに切り替えるためのボタンである。
【００２４】
さらにファンクションボタン２３は、これを押すとＬＣＤ２７上にメニューが表示される。その後４方向キー２４の左右ボタンでメニューを切り替え、４方向キー２４の上下ボタンでそのメニュー中のいずれかの項目を選択し、ＯＫボタン２５を押すことによりその選択した項目が設定される。この操作より、例えばＩＳＯ感度、フラッシュ発光の有無、その他撮影モードあるいは再生モード中の様々な項目の設定が行なわれる。
【００２５】
さらに、ＤＩＳＰ／ＢＡＣＫキー２６は、例えば再生モードにおいてＬＣＤ２７上に表示される画像の表示態様（１枚の画像のみ表示／複数枚のサムネイル画像を並べて表示など）を順次切り替えたり、表示画像を１つ前の画面に戻したりするときに押下するキーである。
【００２６】
図３は、図２に示すＬＣＤパネル２７の部分の断面図、図４は、そのＬＣＤパネルを背面から支える押さえ部材の斜視図である。
【００２７】
図１，図２に示すカメラ１０のリアカバー１４には、内部のＬＣＤ１７を視認するための開口であるＬＣＤ窓１４ａが形成されており、そのＬＣＤ窓１４ａはガラス板等の透明な保護カバー１５で覆われている。
【００２８】
また、ＬＣＤ窓１４ａのカメラ内側の部分には、ＬＣＤ１７が配置され、そのＬＣＤ１７の背面側には、導光板１８が備えられている。この導光板１８は、ＬＣＤ１７を背後から照明するためのバックライトを導くものであって、厚みが連続的に変化するように裏面が斜面に形成され全体として楔形状を有している。
【００２９】
このため、その導光板１８の裏面を支持してこの導光板１８およびその前面のＬＣＤ１７をリアカバー１４に向けて押える押さえ部材１９にも、その導光板１８の裏面の斜面の形状に沿った斜面を有する楔形の押さえ部１９ａが形成されており、この押さえ部１９ａを有する押さえ部材１９がリアカバー１４にビス止めされ、導光板１８の裏面の斜面全面が均一に押さえられている。
【００３０】
この押さえ部材１９は、板金加工で形成されており、特に押さえ部１９ａは、その板金の半抜き加工で形成されている。この板金の半抜き加工によれば楔形状を容易に実現することができ、導光板１８の裏面の斜面の面押さえを実現できる。
【００３１】
このように、本実施形態は、押さえ部材１９に板金の半抜き加工で楔形状の押さえ部１９ａを形成したものであり、導光板１８の裏面を面で押さえることにより保護カバー１５側からの指等による押圧に対する耐圧性能を十分に確保した上で、図５に示す従来例におけるモールド部品１３５のような介在物を不要とし、部品点数、組立工数の削減によるコストダウンが図られている。
【００３２】
尚、ここでは、本発明をデジタルカメラに適用した例について説明したが、本発明は、デジタルカメラに限らず画像表示装置を備えた機器一般、あるいは画像表示装置自体にも適用することができる。
【図面の簡単な説明】
【００３３】
【図１】本発明の一実施形態としてのデジタルカメラの前面を斜め上から見て示した斜視図である。
【図２】本発明の一実施形態としてのデジタルカメラの背面を斜め上から見て示した斜視図である。
【図３】図２に示すＬＣＤパネルの部分の断面図である。
【図４】図３に示すＬＣＤパネルを背面から支える押さえ部材の斜視図である。
【図５】従来のデジタルカメラのＬＣＤまわりの構造を示す図である。
【符号の説明】
【００３４】
１０    デジタルカメラ
１１    フラッシュ発光部
１２    シャッタボタン
１３    フロントカバー
１４    リアカバー
１４ａ    ＬＣＤ窓
１５    保護カバー
１７    ＬＣＤ
１８    導光板
１９    押さえ部材
１９ａ    押さえ部
【図１】
2006243387.tif 000003
【図２】
2006243387.tif 000004
【図３】
2006243387.tif 000005
【図４】
2006243387.tif 000006
【図５】
2006243387.tif 000007